(57)【要約】【課題】  ユーザが撮像装置のビューファインダが引き出されていないことに気づくことができるようにする。【解決手段】  撮像装置はビューファインダと、撮像部と、接眼センサと、表示部と、制御部とを有する。ビューファインダはビューファインダ可動部、接眼レンズおよびファインダ表示部を有する。ビューファインダは、接眼レンズの焦点がファインダ表示部に合っているポップアップ状態と、接眼レンズの焦点がファインダ表示部に合っていない使用状態と、を有する。制御部は、ビューファインダが使用状態において、接眼センサによってユーザの接眼を検知した場合、ファインダ表示部に撮像部によって撮像したライブビュー画像を表示し、制御部は、ビューファインダがポップアップ状態において、接眼センサによってユーザの接眼を検知した後、表示部によってビューファインダがポップアップ状態であることを報知している。【選択図】  図５
2020170997.tif 000002
【特許請求の範囲】
【請求項１】
接眼レンズおよび第一の表示部を有するビューファインダと、
前記接眼レンズの位置を移動させる移動手段と、
ユーザの接眼を検知する検知手段と、
ユーザに警告を報知する報知手段と、
撮像手段と、
制御手段と、
を有し、
前記ビューファインダは、前記接眼レンズの焦点が前記第一の表示部に合っている第一の状態と、前記接眼レンズの焦点が前記第一の表示部に合っていない第二の状態と、を有し、
前記制御手段は、前記ビューファインダが前記第一の状態において、前記検知手段によってユーザの接眼を検知した場合、前記第一の表示部に前記撮像手段によって撮像した画像を表示し、
前記制御手段は、前記ビューファインダが前記第二の状態において、前記検知手段によってユーザの接眼を検知した後、ユーザの接眼が検知されなくなった場合に、前記報知手段によって前記ビューファインダが前記第二の状態であることを示す警告を報知した状態になるよう制御する
ことを特徴とする撮像装置。
【請求項２】
前記制御手段は、前記ビューファインダが前記第二の状態において、前記検知手段によってユーザの接眼を検知していない場合、前記報知手段によって前記警告を報知しない
ことを特徴とする請求項１に記載の撮像装置。
【請求項３】
前記制御手段は、前記第二の状態において、前記検知手段によってユーザの接眼を検知している間、前記報知手段によって前記警告を報知せず、
前記制御手段は、前記第二の状態において前記検知手段によってユーザの接眼を検知した後、前記検知手段によってユーザの接眼を検知しなくなった場合、前記報知手段によって前記警告を報知する
ことを特徴とする請求項１または２に記載の撮像装置。
【請求項４】
前記制御手段は、前記第二の状態において、前記検知手段によってユーザの接眼を検知したことに応じて、前記報知手段によって前記警告を報知する
ことを特徴とする請求項１または２に記載の撮像装置。
【請求項５】
前記制御手段は、前記第二の状態において、前記検知手段によってユーザの接眼を検知した場合、前記撮像手段によって撮像した画像を前記第一の表示部に表示しない
ことを特徴とする請求項１から４のいずれか１項に記載の撮像装置。
【請求項６】
前記移動手段はユーザが手動で操作する部材であることを特徴とする請求項１から５のいずれか１項に記載の撮像装置。
【請求項７】
前記報知手段は、前記ビューファインダの外部に設けられた第二の表示部であり、
前記制御手段は、前記報知手段によって報知する場合、前記第二の表示部に表示している前記撮像手段によって撮像した画像に重畳して前記警告を表示する
ことを特徴とする請求項１から６のいずれか１項に記載の撮像装置。
【請求項８】
前記警告は、前記移動手段によって前記ビューファインダを前記第二の状態から前記第一の状態に遷移させることを促すメッセージであることを特徴とする請求項７に記載の撮像装置。
【請求項９】
前記制御手段は、前記検知手段によってユーザの接眼を検知していない場合、前記撮像手段によって撮像したライブビュー画像を前記第一の表示部および前記第二の表示部のうち前記第二の表示部に表示するよう制御し、
前記制御手段は、前記ビューファインダが前記第一の状態において、前記検知手段によってユーザの接眼を検知した場合、前記撮像手段によって撮像したライブビュー画像を前記第一の表示部および前記第二の表示部のうち前記第一の表示部に表示するよう制御する
ことを特徴とする請求項７または８に記載の撮像装置。
【請求項１０】
さらに前記第二の表示部をチルト駆動する機構を有し、
前記第二の表示部がチルト駆動している場合、前記制御手段は前記検知手段によるユーザの接眼の検知を実行しない
ことを特徴とする請求項７から９のいずれか１項に記載の撮像装置。
【請求項１１】
さらにユーザの操作を受け付ける操作手段を有し、
前記制御手段は、前記報知手段によって前記警告を報知している場合、前記操作手段によってユーザの操作を受け付けたことに応じて前記警告の報知を停止する
ことを特徴とする請求項１から１０のいずれか１項に記載の撮像装置。
【請求項１２】
前記報知手段によって前記ビューファインダが前記第二の状態であることを報知していない状態で前記操作手段によってユーザの操作を受け付けた場合、前記報知手段によって前記ビューファインダが前記第二の状態であることを報知していない状態における前記ユーザの操作に対応する処理を実行し、
前記制御手段は、前記報知手段によって前記ビューファインダが前記第二の状態であることを報知している状態において前記操作手段によって受け付けた前記ユーザの操作が撮影処理に関する操作ではない場合、前記報知手段によって前記警告を報知していない状態における前記ユーザの操作に対応する処理を実行しない
ことを特徴とする請求項１１に記載の撮像装置。
【請求項１３】
前記操作手段によってユーザから撮像を指示する操作を受け付けた場合、前記制御手段は前記報知手段によって前記警告を報知している状態であっても前記撮像手段によって撮像する
ことを特徴とする請求項１１または１２に記載の撮像装置。
【請求項１４】
前記報知手段は、前記ビューファインダの近傍に設けられた発光素子であり、
前記制御手段は、前記報知手段によって報知する場合、前記発光素子を点灯または点滅するよう制御する
ことを特徴とする請求項１から６のいずれか１項に記載の撮像装置。
【請求項１５】
前記検知手段が物体の近接を所定時間以上、検知した場合、前記制御手段はユーザが接眼していると判定することを特徴とする請求項１から１４のいずれか１項に記載の撮像装置。
【請求項１６】
前記検知手段が所定時間未満の物体の近接を所定時間内に所定回数以上、検知した場合、前記制御手段はユーザが接眼していると判定することを特徴とする請求項１から１５のいずれか１項に記載の撮像装置。
【請求項１７】
さらに前記ビューファインダは、前記撮像装置に格納される第三の状態を有し、
前記ビューファインダが前記第一の状態または前記第二の状態である場合、前記制御手段は前記検知手段を起動し、
前記ビューファインダが前記第三の状態である場合、前記制御手段は前記検知手段を停止する
ことを特徴とする請求項１から１６のいずれか１項に記載の撮像装置。
【請求項１８】
前記ビューファインダは、前記第二の表示部が搭載されている面に向かって、前記第二の表示部の中心よりも左側に設けられることを特徴とする請求項１から１７のいずれか１項に記載の撮像装置。
【請求項１９】
接眼レンズおよび第一の表示部を有するビューファインダと、
前記接眼レンズの位置を移動させる移動手段と、
ユーザの接眼を検知する検知手段と、
撮像手段と、
制御手段と、
を有し、
前記ビューファインダは、前記接眼レンズの焦点が前記第一の表示部に合っている第一の状態と、前記接眼レンズの焦点が前記第一の表示部に合っていない第二の状態と、を有し、
前記制御手段は、前記ビューファインダが前記第一の状態において、前記検知手段によってユーザの接眼を検知した場合、前記第一の表示部に前記撮像手段によって撮像した画像を表示し、
前記制御手段は、前記ビューファインダが前記第二の状態において、前記検知手段によってユーザの接眼を検知した場合、前記第一の表示部に前記撮像手段によって撮像した画像を表示しない
ことを特徴とする撮像装置。
【請求項２０】
接眼レンズおよび第一の表示部を有するビューファインダと、
前記接眼レンズの位置を移動させる移動手段と、
ユーザの接眼を検知する検知手段と、
ユーザに警告を報知する報知手段と、
撮像手段と、を有する撮像装置の制御方法であって、
前記ビューファインダが前記接眼レンズの焦点が前記第一の表示部に合っている第一の状態において、前記検知手段によってユーザの接眼を検知した場合、前記第一の表示部に前記撮像手段によって撮像した画像を表示するステップと、
前記ビューファインダが前記接眼レンズの焦点が前記第一の表示部に合っていない第二の状態において、前記検知手段によってユーザの接眼を検知した後、ユーザの接眼が検知されなくなった場合に、前記報知手段によって前記ビューファインダが前記第二の状態であることを示す警告を報知しているステップと、
を有することを特徴とする制御方法。
【請求項２１】
コンピュータを請求項１から１９のいずれか１項に記載の撮像装置の各手段として機能させるための、コンピュータが読み取り可能なプログラム。
【発明の詳細な説明】
【技術分野】
【０００１】
本発明は、ビューファインダを有する撮像装置に関する。
【背景技術】
【０００２】
近年、ビューファインダおよび背面液晶の２つの表示部を有するデジタルカメラが知られている。デジタルカメラはそれぞれの表示部に画像を表示することができる。またユーザは撮影に使用する表示部を切り替えて撮影することができる。このビューファインダにユーザが接眼する位置は背面液晶側に向いていることがあるため、背面液晶にユーザの顔の器官等が触れないように、ユーザが接眼する位置は背面液晶と離れるように設計されることがある。特許文献１では、ビューファインダを引き出して使用する撮像装置が開示されている。
【先行技術文献】
【特許文献】
【０００３】
【特許文献１】特開２００３−１４３４４５号公報
【発明の概要】
【発明が解決しようとする課題】
【０００４】
しかし、例えばユーザが特許文献１に開示されているような、引き出して使用するビューファインダの使用方法を知らない場合、このユーザはビューファインダを引き出さずにビューファインダを覗いてしまう可能性がある。このようなビューファインダは引き出されないと接眼レンズの焦点がその内部の表示部の表示面に合わないため、ユーザは引き出されていない状態のビューファインダを覗いても明瞭な画像を見ることができないことがある。その結果、ユーザは撮像装置のビューファインダが故障していると誤解するおそれがあった。
【０００５】
そこで本発明は、撮像装置のビューファインダが引き出されていないことにユーザが気づきやすくすることを目的とする。
【課題を解決するための手段】
【０００６】
上記目的を達成するために、本発明の撮像装置は、接眼レンズおよび第一の表示部を有するビューファインダと、前記接眼レンズの位置を前記ビューファインダ内において移動させる移動手段と、ユーザの接眼を検知する検知手段と、ユーザに警告を報知する報知手段と、撮像手段と、制御手段と、を有し、前記ビューファインダは、前記接眼レンズの焦点が前記第一の表示部に合っている第一の状態と、前記接眼レンズの焦点が前記第一の表示部に合っていない第二の状態と、を有し、前記制御手段は、前記ビューファインダが前記第一の状態において、前記検知手段によってユーザの接眼を検知した場合、前記第一の表示部に前記撮像手段によって撮像した画像を表示し、前記制御手段は、前記ビューファインダが前記第二の状態において、前記検知手段によってユーザの接眼を検知した後、ユーザの接眼が検知されなくなった場合に、前記報知手段によって前記ビューファインダが前記第二の状態であることを示す警告を報知していることを特徴とする。
【発明の効果】
【０００７】
本発明によれば、ユーザは撮像装置のビューファインダが引き出されていないことに気づきやすくなる。
【図面の簡単な説明】
【０００８】
【図１】第一の実施形態における初期状態のデジタルカメラの外観図の一例である。
【図２】第一の実施形態におけるデジタルカメラの構成の一例を示すブロック図である。
【図３】第一の実施形態におけるポップアップ状態のデジタルカメラの外観図の一例である。
【図４】第一の実施形態における使用状態のデジタルカメラの外観図の一例である。
【図５】第一の実施形態におけるデジタルカメラの表示処理の一例を示すフローチャートである。
【図６】（Ａ）第一の実施形態におけるデジタルカメラのライブビュー画像を表示する画面の一例である。（Ｂ）第一の実施形態におけるデジタルカメラの警告を表示する画面の一例である。
【発明を実施するための形態】
【０００９】
以下に、本発明を実施するための形態について、添付の図面を用いて詳細に説明する。
【００１０】
尚、以下に説明する実施の形態は、本発明の実現手段としての一例であり、本発明が適用される装置の構成や各種条件によって適宜修正又は変更されてもよい。また、各実施の形態は適宜組み合わされることも可能である。
【００１１】
［第一の実施形態］
＜デジタルカメラ１００の構成＞
図１に撮像装置の一例としてのデジタルカメラ１００の外観図の一例を示す。
【００１２】
表示部２８は画像や各種情報を表示する表示部である。本実施形態では表示部２８はデジタルカメラ１００の背面に搭載される。ファインダ表示部２９は画像や各種情報を表示する表示部である。ファインダ表示部２９は後述するビューファインダ４０に格納される。表示部２８およびファインダ表示部２９は例えばＬＣＤ（Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）等の発光素子で構成される。また表示部２８は画面の向きをデジタルカメラ１００の天頂方向と水平方向の間を自在に可動（チルト駆動）する機構を有してもよい。
【００１３】
シャッターボタン６１は撮影指示を行うための操作部である。モード切替スイッチ６０は各種モードを切り替えるための操作部である。コネクタ１１２は、パーソナルコンピュータやプリンタなどの外部機器と接続するための接続ケーブル１１１とデジタルカメラ１００とのコネクタである。
【００１４】
操作部７０はユーザからの各種操作を受け付ける各種スイッチ、ボタン、タッチパネル等の操作部材より成る操作部である。コントローラホイール７３は操作部７０に含まれる回転操作可能な操作部材である。電源スイッチ７２は、電源オン、電源オフを切り替えるための押しボタンである。
【００１５】
記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり、記録や再生が可能となる。蓋２０２は記録媒体スロット２０１の蓋である。図１においては、蓋２０２を開けてスロット２０１から記録媒体２００の一部を取り出して露出させた状態を示している。
【００１６】
ランプ４６はＬＥＤ（Ｌｉｇｈｔ  Ｅｍｉｔｔｉｎｇ  Ｄｉｏｄｅ）や電球等の発光素子であり、点灯、消灯、点滅等の制御が可能である。ランプ４６は記録媒体２００へのアクセス時に点滅したり、所定の機能のエラーが発生した際に点灯したりすることができる。
【００１７】
ビューファインダ４０はファインダ表示部２９、ビューファインダ可動部４２、接眼レンズ（不図示）、およびばね等の弾性部材（不図示）等で構成され、初期状態ではデジタルカメラ１００の本体内部に格納されている。この状態ではビューファインダ可動部４２もデジタルカメラ１００の本体の内部に格納されている。本実施形態では、ビューファインダ４０は図１に示すように、表示部２８の中心に対して左側に設けられている。例えばユーザがビューファインダ４０を右目で覗いた場合、表示部２８はユーザの顔に対して右側に位置するため、デジタルカメラ１００は自然にユーザの鼻に接触しづらい位置に構えられることになる。このビューファインダ４０の使用方法については後述する。ポップアップスイッチ４１はビューファインダ４０を本体外部に露出させるためのスイッチである。例えばユーザがポップアップスイッチ４１を操作したことに応じて、ビューファインダ４０のばね等の弾性部材（不図示）は、図３に示すようにビューファインダ４０を本体上部に押し上げる。このとき、図３に示すようにビューファインダ可動部４２が本体外部に露出する。
【００１８】
接眼センサ４５は物体の近接を検知するセンサである。本実施形態では接眼センサ４５は、ビューファインダ４０への接眼の有無、すなわちユーザがビューファインダ４０を覗いているか否かを検知する。接眼センサ４５は、例えば発光素子（発光部）と受光素子（受光部）から構成されている。なお、表示部２８がチルト駆動されている場合、接眼センサ４５はユーザの接眼を検知しなくてもよい。例えばユーザが表示部２８の画面をレンズ側に向けた場合、接眼センサ４５とデジタルカメラ１００の筐体とが近接する。この状態では例えば接眼センサ４５の発光素子から出射された光がデジタルカメラ１００の筐体に反射し、接眼センサ４５の受光素子に入射してしまうことが考えられる。その結果、接眼センサ４５はユーザが接眼していると誤認識するおそれがある。そのため、システム制御部５０（後述）は表示部２８がチルト駆動されていることを検出した場合、接眼センサ４５による物体の近接の検知を実行しない。
【００１９】
図２は、本実施形態によるデジタルカメラ１００の構成例を示すブロック図である。
【００２０】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００２１】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理を行う。画像処理部２４により得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理を行う。
【００２２】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８およびファインダ表示部２９に表示するための画像データを記録する。メモリ３２は、所定枚数の静止画像や所定時間の動画および音声を記録するのに十分な記録容量を備えている。
【００２３】
また、メモリ３２は画像表示用のメモリ（ビデオメモリ）を兼ねている。Ｄ／Ａ変換器１３は、メモリ３２に記録されている画像表示用のデータをアナログ信号に変換して表示部２８およびファインダ表示部２９に供給することができる。こうして、メモリ３２に書き込まれた表示用の画像データはＤ／Ａ変換器１３を介して表示部２８およびファインダ表示部２９により表示される。表示部２８およびファインダ表示部２９は、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８およびファインダ表示部２９に逐次転送して表示することで、スルー画像表示（ライブビュー表示）を行える。以下、ライブビューで表示される画像をライブビュー画像と称する。
【００２４】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記録される。ここでいう、プログラムとは、本実施形態にて後述する各種フローチャートを実行するためのコンピュータプログラムのことである。
【００２５】
システム制御部５０は、少なくとも１つのプロセッサまたは回路を有する制御部であり、デジタルカメラ１００全体を制御する。前述した不揮発性メモリ５６に記録されたプログラムを実行することで、後述する本実施形態の各処理を実現する。システムメモリ５２には、例えばＲＡＭが用いられる。システムメモリ５２には、システム制御部５０の動作用の定数、変数、不揮発性メモリ５６から読み出したプログラム等が展開される。また、システム制御部５０はメモリ３２、Ｄ／Ａ変換器１３、表示部２８等を制御することにより表示制御も行う。
【００２６】
システムタイマー５３は各種制御に用いる時間や、内蔵された時計の時間を計測する計時部である。
【００２７】
モード切替スイッチ６０、シャッターボタン６１、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判定モード、マニュアルモード、絞り優先モード（Ａｖモード）、シャッター速度優先モード（Ｔｖモード）、プログラムＡＥモードがある。また、撮影シーン別の撮影設定となる各種シーンモード、カスタムモード等がある。モード切替スイッチ６０より、ユーザは、これらのモードのいずれかに直接切り替えることができる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００２８】
第１シャッタースイッチ６２は、デジタルカメラ１００に設けられたシャッターボタン６１の操作途中、いわゆる半押し（撮影準備指示）でオンとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２９】
第２シャッタースイッチ６４は、シャッターボタン６１の操作完了、いわゆる全押し（撮影指示）でオンとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３０】
操作部７０の各操作部材は、表示部２８およびファインダ表示部２９に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８およびファインダ表示部２９に表示される。利用者は、表示部２８およびファインダ表示部２９に表示されたメニュー画面と、上下左右の４方向ボタンやＳＥＴボタンとを用いて直感的に各種設定を行うことができる。
【００３１】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検知できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検知するものであってもよい（いわゆる、タッチホイール）。
【００３２】
電源制御部８０は、電池検知回路、ＤＣ−ＤＣコンバータ、通電するブロックを切り替えるスイッチ回路等により構成され、電池の装着の有無、電池の種類、電池残量の検知を行う。また、電源制御部８０は、その検知結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００３３】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００３４】
通信部５４は、無線または有線ケーブルによって接続し、映像信号や音声信号等の送受信を行う。通信部５４は無線ＬＡＮ（Ｌｏｃａｌ  Ａｒｅａ  Ｎｅｔｗｏｒｋ）やインターネットとも接続可能である。また、通信部５４は、Ｂｌｕｅｔｏｏｔｈ（登録商標）やＢｌｕｅｔｏｏｔｈ  Ｌｏｗ  Ｅｎｅｒｇｙでも外部機器と通信可能である。通信部５４は撮像部２２で撮像した画像（ライブ画像を含む）や、記録媒体２００に記録された画像を送信可能であり、また、外部機器から画像データやその他の各種情報を受信することができる。
【００３５】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像であるかを判定可能である。システム制御部５０は、姿勢検知部５５で検知された姿勢に応じて、その姿勢に対応する向き情報を撮像部２２で撮像された画像のメタデータに付加したり、画像を回転して記録したりすることが可能である。姿勢検知部５５としては、加速度センサやジャイロセンサなどを用いることができる。姿勢検知部５５である、加速度センサやジャイロセンサを用いて、デジタルカメラ１００の動き（パン、チルト、持ち上げ、静止しているか否か等）を検知することも可能である。
【００３６】
＜ビューファインダの使用方法＞
図３および図４を用いて、ビューファインダ４０の状態および使用方法について説明する。初期状態では、図１に示すようにビューファインダ４０は本体内部に格納されている。初期状態では、本実施形態のビューファインダ４０の天頂部はデジタルカメラ１００の天頂部と同じ高さになる。これによりビューファインダ４０が初期状態においてデジタルカメラ１００の天頂部は凹凸が少ない状態となるため、ユーザがカバンやポケット等にデジタルカメラ１００を収納してもデジタルカメラ１００がその収納先に引っかかる可能性が低くなる。
【００３７】
図３は、ビューファインダ４０がデジタルカメラ１００の本体内部に格納された状態から上部に持ち上げられた状態を示している。初期状態においてユーザがポップアップスイッチ４１を操作すると、図３に示すようにビューファインダ４０はばね等の弾性部材によって本体上部へと持ち上げられる。なお、ビューファインダ４０はユーザに手動で持ち上げられるように構成されていてもよい。この場合、ビューファインダ４０がばね等の弾性部材やポップアップスイッチ４１等を有さなくともよい。以降、このビューファインダ４０が持ち上げられた状態をポップアップ状態と称する。
【００３８】
そして図４に示すように、ユーザが手動でビューファインダ可動部４２をデジタルカメラ１００の背面側に引き出すことで接眼レンズが移動する。このビューファインダ可動部４２を接眼レンズの焦点がファインダ表示部２９の表示面に合うまで引き出した場合、ユーザはビューファインダ４０を覗いたときにファインダ表示部２９を最も快適に見ることが可能になる。本実施形態ではこの引き出す長さを所定の長さと称する。ビューファインダ４０を引き出して使用する理由は、例えばユーザの鼻と表示部２８上のタッチパネルとが接触しにくいようにするためである。ユーザがビューファインダ４０に接眼してもユーザの顔と表示部２８との距離を近づきすぎないようにすることで、ユーザの顔の器官の接触によるタッチパネルに対する誤操作が発生するおそれを低減できる。以降、このビューファインダ４０のビューファインダ可動部４２が所定の長さになるように引き出された状態を使用状態と称する。
【００３９】
なお、ビューファインダ可動部４２の引き出された長さが所定の長さ未満の場合、接眼レンズの焦点がファインダ表示部２９に合わないため、ユーザはビューファインダを覗いても例えばぼやけた画面を見ることになる。この状態ではユーザはビューファインダ４０を利用して所望の写真を撮影することは難しい。そのため、本実施形態ではビューファインダ可動部４２の引き出された長さが所定の長さ未満の場合、システム制御部５０はビューファインダの４０はポップアップ状態にあると判定する。
【００４０】
このようにビューファインダ４０を引き出して使用状態に遷移させることでユーザはファインダ表示部２９を快適に見ることができる。しかし、例えばユーザがビューファインダ４０を引き出すことを忘れてしまった場合、ポップアップ状態のビューファインダ４０を覗くことになる。その場合、接眼レンズの焦点がファインダ表示部２９に合わず、ユーザはファインダ表示部２９の画面表示が見えづらくなるおそれがある。また、例えばこの場合、ユーザの顔の器官が表示部２８上のタッチパネルに触れてしまい、デジタルカメラ１００がユーザの意図しない動作をするおそれがある。そこで本実施形態では、ポップアップ状態のビューファインダ４０を覗いた場合、デジタルカメラ１００はユーザにビューファインダ４０がポップアップ状態であることを気づかせ、ビューファインダ４０を引き出すことを促す。
【００４１】
なお、表示部２８がチルト駆動している場合、ユーザはビューファインダ４０を使用しないと考えられる。そのため、この場合デジタルカメラ１００は例えばビューファインダ４０を初期状態に固定しポップアップ状態に遷移できないようにしてもよい。
【００４２】
＜デジタルカメラ１００のライブビュー表示処理＞
図５は、撮影モードにおけるデジタルカメラ１００のライブビュー表示処理の一例を示すフローチャートである。この表示処理は、不揮発性メモリ５６に記録されたプログラムをシステムメモリ５２に展開してシステム制御部５０が実行することで実現する。本処理は、デジタルカメラ１００が撮影モードに遷移したことをトリガに開始する。なお、撮影モードではユーザはデジタルカメラ１００によって画像や動画を撮影することができる。また、本実施形態では、デジタルカメラ１００は撮影モードにおいて、表示部２８およびファインダ表示部２９の少なくとも一方を用いてライブビュー表示できる。なお、本実施形態では、本処理の開始時において、ユーザはデジタルカメラ１００のビューファインダ４０に接眼していないものとする。
【００４３】
ステップＳ５００では、システム制御部５０は、例えば図６（Ａ）に示すように表示部２８にライブビュー表示する。ここで、ユーザによる操作を受け付けた場合、本ステップにおいて、システム制御部５０はその操作に対応する処理を実行する。例えば、第１シャッタースイッチ６２が押下された場合、システム制御部５０は被写体へのＡＦ処理等を実行する。
【００４４】
ステップＳ５０１では、システム制御部５０はビューファインダ４０が初期状態か否かを判定する。ビューファインダ４０が初期状態であるとシステム制御部５０が判定した場合、処理はステップＳ５０２へ進む。ビューファインダ４０がポップアップ状態ではないとシステム制御部５０が判定した場合、処理はステップＳ５０３へ進む。まずビューファインダ４０が初期状態である場合について説明する。
【００４５】
ステップＳ５０２では、システム制御部５０は接眼センサ４５を停止する。初期状態ではビューファインダ４０はデジタルカメラ１００の内部に格納されているため、ユーザがデジタルカメラ１００に接眼することはないと考えられるからである。本ステップの後、処理はステップＳ５００へ戻り、システム制御部５０は表示部２８へのライブビュー表示を継続する。なお、すでに接眼センサ４５が停止されている場合、システム制御部５０は本ステップの処理を実行しない。次にビューファインダ４０が初期状態ではない場合について説明する。
【００４６】
ステップＳ５０３では、システム制御部５０は接眼センサ４５を起動する。これによりシステム制御部５０は接眼センサ４５によってユーザの接眼を検知できる状態になる。なお、すでに接眼センサ４５が起動している場合、システム制御部５０は本ステップの処理を実行しない。
【００４７】
ステップＳ５０４では、システム制御部５０は接眼センサ４５によってユーザが接眼しているか否かを判定する。例えばシステム制御部５０は接眼センサ４５が物体の近接を検知しているか否かを判定する。ユーザが接眼しているとシステム制御部５０が判定した場合、すなわちユーザがビューファインダ４０に接眼していない状態からビューファインダ４０に接眼している状態へと変化した場合、処理はステップＳ５０５へと進む。ユーザが接眼していないとシステム制御部５０が判定した場合、すなわちユーザがビューファインダ４０に接眼していない状態から変化していない場合、処理はステップＳ５００へ戻り、システム制御部５０は表示部２８へのライブビュー表示を継続する。
【００４８】
ステップＳ５０５では、システム制御部５０はビューファインダ４０が使用状態か否かを判定する。ビューファインダ４０が使用状態であるとシステム制御部５０が判定した場合、処理はステップＳ５０６へ進む。ビューファインダ４０が使用状態ではないとシステム制御部５０が判定した場合、処理はステップＳ５１０へと進む。まずビューファインダ４０が使用状態である場合のシステム制御部５０の処理について説明する。
【００４９】
ステップＳ５０６では、システム制御部５０はライブビュー画像の表示先を表示部２８からファインダ表示部２９へと切り替える。
【００５０】
ステップＳ５０７では、システム制御部５０はファインダ表示部２９にライブビュー表示する。ここで、ユーザによる操作を受け付けた場合、本ステップにおいて、システム制御部５０はその操作に対応する処理を実行する。例えば、第１シャッタースイッチ６２が押下された場合、システム制御部５０は被写体へのＡＦ処理等を実行する。
【００５１】
ステップＳ５０８では、システム制御部５０はユーザが接眼しているか否かを判定する。例えばシステム制御部５０は接眼センサ４５が物体の近接を検知しているか否かを判定する。ユーザが接眼しているとシステム制御部５０が判定した場合、すなわちユーザがビューファインダ４０に接眼している状態から変化していない場合、処理はステップＳ５０８へと戻り、システム制御部５０はファインダ表示部２９へのライブビュー表示を継続する。ユーザが接眼していないとシステム制御部５０が判定した場合、すなわちユーザがビューファインダ４０に接眼している状態からビューファインダ４０に接眼していない状態へと変化した場合、処理はステップＳ５０９へと進む。
【００５２】
ステップＳ５０９では、システム制御部５０はライブビュー画像の表示先をファインダ表示部２９から表示部２８へと切り替える。ステップＳ５０９の処理の後、ステップＳ５１２においてシステム制御部５０が撮影モードを継続すると判定した場合、処理はステップＳ５００へ戻り、システム制御部５０は表示部２８にライブビュー表示する。ステップＳ５１２において撮影モードを終了すると判定した場合、システム制御部５０は本フローチャートの処理を終了する。次にステップＳ５０５において、ビューファインダ４０が使用状態ではないとシステム制御部５０が判定した場合について説明する。
【００５３】
ステップＳ５１０では、システム制御部５０はユーザが接眼しているか否かを判定する。例えばシステム制御部５０は接眼センサ４５が物体の近接を検知しているか否かを判定する。ユーザが接眼しているとシステム制御部５０が判定した場合、すなわちユーザが接眼している状態から変化していない場合、処理はステップＳ５０５の処理に戻る。例えばユーザがビューファインダ４０に接眼しながらビューファインダ可動部４２を引き出した場合、ステップＳ５０５においてシステム制御部５０はビューファインダ４０が使用可能状態になったと判定できる。ビューファインダ４０がポップアップ状態であって、ユーザが接眼していないとシステム制御部５０が判定した場合、すなわちユーザが接眼している状態から接眼していない状態へと変化した場合、処理はステップＳ５１１へ進む。本ステップにおいて、システム制御部５０はファインダ表示部２９にライブビュー画像を表示していないため、ユーザはビューファインダ４０を覗いてもライブビュー画像を見ることはできない。ライブビュー画像が見えないことによりユーザは違和感を覚えビューファインダ４０が使用できないことに気づくことができる。そしてユーザはすぐにビューファインダ４０から目を離すことが考えられるため、処理は本ステップから次のステップＳ５１１へすぐに遷移すると考えられる。
【００５４】
ステップＳ５１１では、システム制御部５０は表示部２８に警告を表示する。例えばシステム制御部５０は図６（Ｂ）に示すウィンドウ６０１をライブビュー画像に重畳して表示部２８に表示する。このウィンドウ６０１はユーザにビューファインダ可動部４２を引き出すよう促すメッセージが記載されている。このメッセージにより、ユーザはビューファインダ４０が引き出されておらずポップアップ状態であることも認識できる。なおシステム制御部５０は例えばビューファインダ４０が初期状態ないしは使用状態に遷移したこと、およびシャッターボタン６１ないしは操作部７０等の操作部材を操作されたこと等の条件のいずれかが満たされたことに応じて、ウィンドウ６０１の表示を消す。また、システム制御部５０はウィンドウ６０１を表示してから所定時間経過したことに応じて、ウィンドウ６０１の表示を消してもよい。
【００５５】
ステップＳ５１１の処理の後、ステップＳ５１２においてシステム制御部５０が撮影モードを継続すると判定した場合、処理はステップＳ５００へ戻り、システム制御部５０は表示部２８にライブビュー表示する。なお、上記ウィンドウ６０１の表示を消す条件が満たされていない場合、システム制御部５０はステップＳ５００においてもウィンドウ６０１を表示部２８に表示し続けてもよい。ステップＳ５１２において撮影モードを終了すると判定した場合、システム制御部５０は本フローチャートの処理を終了する。
【００５６】
以上、デジタルカメラ１００のライブビュー表示処理の一例を説明した。この処理により、ポップアップ状態のビューファインダ４０に対して接眼しても、ユーザはビューファインダ４０が使用状態ではないことにすぐに気づくことができる。さらにシステム制御部５０がビューファインダ４０を引き出すことを促すことで、ユーザは説明書を読まずともビューファインダ４０を使用状態に操作することができる。
【００５７】
なお、本実施形態では撮像モードを一例に説明したが、他のモードにも適用してよい。例えば記録媒体２００に記録されている画像データを表示する再生モードにおいても、システム制御部５０は撮像モードと同様に、ポップアップ状態のビューファインダ４０に接眼されたことに応じて表示部２８に警告を表示してもよい。
【００５８】
なお、ステップＳ５１１ではシャッターボタン６１ないしは操作部７０等のいずれかの操作部材を操作されたことによりシステム制御部５０はウィンドウ６０１の表示を消す。例えばウィンドウ６０１を表示中に操作部７０を操作された場合、システム制御部５０はその操作はウィンドウ６０１の表示を消すための操作とみなし、その操作部７０に対応する処理を実行しない。また、ウィンドウ６０１の表示を消した後に操作部７０を操作された場合、システム制御部５０は通常その操作部材に対応する処理を実行する。一方、例えばウィンドウ６０１を表示中にシャッターボタン６１を押下された場合、システム制御部５０は撮影処理を実行する。ユーザがシャッターボタン６１を押下するという操作はユーザの撮影する意思を示す操作である。つまり即時性が求められる可能性があるため、デジタルカメラ１００はたとえ警告を表示していても撮影する。このようにシステム制御部５０は操作部材に割り当てられている処理に応じて、警告を表示中におけるユーザ操作に対する動作を変更してよい。
【００５９】
なお、本実施形態ではビューファインダ４０が使用状態である場合、接眼センサ４５の検知状態によって、システム制御部５０が表示部２８およびファインダ表示部２９の表示を切り替えた。具体的には、接眼センサ４５によって接眼が検知されている状態では、システム制御部５０はファインダ表示部２９の表示をオンにし、表示部２８の表示をオフにした。また、接眼センサ４５によって接眼が検知されていない状態では、システム制御部５０はファインダ表示部２９の表示をオフにし、表示部２８の表示をオンにした。しかし、ビューファインダ４０が使用状態であれば、接眼センサ４５の検知状態によらず、デジタルカメラ１００の設定等に応じて、システム制御部５０は表示部２８およびファインダ表示部２９の表示をそれぞれ切り替えてもよい。
【００６０】
なお、ステップＳ５１０の処理の時点では、システム制御部５０は表示部２８に警告であるウィンドウ６０１を表示していない。ステップＳ５１０の処理の後のステップＳ５１１の処理において、システム制御部５０は表示部２８にウィンドウ６０１を表示する。この理由はユーザがビューファインダ４０に接眼しているため、表示部２８に表示されている警告に気づかない可能性があるからである。そのため、本実施形態ではシステム制御部５０はユーザがビューファインダ４０を覗くことをやめた後であるステップＳ５１１においてウィンドウ６０１を表示している。ただし、ユーザがビューファインダ４０を覗いていても、少なくとも表示部２８の表示の変化に気づく可能性はあるため、システム制御部５０はステップＳ５１０の処理の前にステップＳ５１１の処理を実行し、表示部２８に警告を表示してもよい。
【００６１】
なお、接眼センサ４５が物体の近接を所定時間以上、検知した場合、システム制御部５０は接眼したと判定する。また、接眼センサ４５が物体の近接を所定時間未満の間だけ検知した場合、システム制御部５０は接眼したと判定しない。これは、手などが接眼センサ４５に触れてしまったこと等に起因する物体の近接の検知を除外するためである。一方、ユーザがビューファインダ４０を覗くときの顔の位置によっては、接眼センサ４５が所定時間未満の間だけ物体の近接を検知することを繰り返すケースも存在する。この場合、システム制御部５０は所定時間内に所定回数以上、接眼センサ４５が所定時間未満の間だけ物体の近接を検知することを繰り返したことに応じて、ユーザが接眼したと判定する。例えばシステム制御部５０は３秒の間に３回以上、接眼センサ４５が０．５秒未満の間だけ物体の近接を検知することを繰り返したことに応じて、ユーザが接眼したと判定する。
【００６２】
なお、図１に示すように、ビューファインダ４０の近傍にランプ４６がある場合、システム制御部５０はランプ４６を点灯または点滅させることで、ユーザに警告を報知してもよい。ランプ４６の光はビューファインダ４０を覗いていても気づきやすい位置にあるため、この場合、システム制御部５０はステップＳ５１１よりもステップＳ５１０においてランプ４６を点灯または点滅させる方が望ましい。
【００６３】
なお、本実施形態では、ビューファインダ４０をポップアップ状態にしたまま、ユーザが接眼せずに撮影していても、システム制御部５０は表示部２８に警告を報知しない。なぜならこの場合でもユーザは表示部２８に映るライブビュー画像を見ながら撮影している可能性があるため、表示部２８に警告を表示することはユーザの撮影の妨げになりうるからである。一方、ユーザがポップアップ状態のビューファインダ４０を覗く動作は、ユーザがビューファインダ４０を使用する意思を示すと考えられる。そのため、この動作の後にシステム制御部５０が表示部２８に警告を報知することは、ユーザの撮影を妨げるおそれが少ない。そればかりか、この場合にシステム制御部５０が表示部２８に図６（Ｂ）に示すようなウィンドウ６０１を表示し、ユーザにビューファインダ４０を引き出すことを促すことで、ユーザはビューファインダ４０を引き出すことに気づくことができる。
【００６４】
なお、システム制御部５０は表示部２８に警告としてウィンドウ６０１を表示している状態であっても、第２シャッタースイッチ６４を押下された場合（シャッターボタン６１を全押しされた場合）、撮像部２２によって撮像する。ユーザが第２シャッタースイッチ６４を押下するという操作はユーザの撮影する意思を示す操作であるため、デジタルカメラ１００はたとえ警告を表示していても撮影する。これによりユーザがいわゆるシャッターチャンスを逃す可能性が低減される。
【００６５】
［その他の実施形態］
本発明は、上述の実施形態の１以上の機能を実現するプログラムを、ネットワーク又は記録媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図１】
2020170997.tif 000003
【図２】
2020170997.tif 000004
【図３】
2020170997.tif 000005
【図４】
2020170997.tif 000006
【図５】
2020170997.tif 000007
【図６】
2020170997.tif 000008